【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
データを記憶するメモリと、無線により外部とのデータ送受信を行う送受信手段と、前記送受信手段を介して外部から通信要求を受信した際に、この通信要求に対して、通信の衝突防止のための識別子を含む応答を送信する制御手段を備えたＩＣカードにおいて、
前記メモリは、当該ＩＣカードを識別するための個別情報及び当該ＩＣカードの属性を示す属性情報を記憶し、
前記制御手段は、前記メモリに記憶された前記ＩＣカードの個別情報及び属性情報を前記通信の衝突防止のための識別子として利用することを特徴とするＩＣカード。
【請求項２】
前記メモリは、当該ＩＣカードを識別するための個別情報及び当該ＩＣカードの属性を示す複数の情報からなる属性情報を記憶し、
前記制御手段は、前記メモリに記憶された前記ＩＣカードの個別情報及び前記ＩＣカードの属性情報のうち１つ又は複数個の情報の組み合わせを前記通信の衝突防止のための識別子として利用することを特徴とする請求項１に記載のＩＣカード。
【請求項３】
前記制御手段は、前記識別子として、前記ＩＣカードの個別情報及び属性情報と乱数とを組み合わせた値を利用することを特徴とする請求項１又は２に記載のＩＣカード。
【請求項４】
前記識別子として利用される、ＩＣカードの個別情報及び属性情報は、個々にあるいはまとめて暗号化されていることを特徴とする請求項１又は２に記載のＩＣカード。
【請求項５】
データを記憶するメモリと、無線により外部とのデータ送受信を行う送受信手段と、前記送受信手段を介して外部から通信要求を受信した際に、この通信要求に対して、通信の衝突防止のための識別子を含む応答を送信する制御手段を備えたＩＣカードにおいて、
前記メモリは、当該ＩＣカードを識別するための個別情報及び当該ＩＣカードの属性を示す複数の情報からなる属性情報のうち１つ又は複数個の情報の組み合わせを識別子情報として記憶し、
前記制御手段は、前記メモリに記憶された識別子情報を前記通信の衝突防止のための識別子として利用することを特徴とするＩＣカード。
【請求項６】
前記制御手段は、前記識別子として、前記識別子情報と乱数とを組み合わせた値を利用することを特徴とする請求項５に記載のＩＣカード。
【請求項７】
前記識別子として利用される識別子情報は、暗号化されていることを特徴とする請求項５に記載のＩＣカード。
【請求項８】
前記属性情報は、前記ＩＣカードの製造者情報、ロット番号、カード種、型番、バージョン情報のうち何れかの情報を含むことを特徴とする請求項１〜７の何れか一項に記載のＩＣカード。
【請求項９】
無線によりＩＣカードに情報を送信することにより、前記ＩＣカードに情報を書き込む書き込み手段を備え、前記書き込み手段により情報を書き込むことにより利用可能なＩＣカードを発行するＩＣカード発行装置において、
前記書き込み手段は、前記ＩＣカードを識別するための個別情報及び当該ＩＣカードの属性を示す属性情報、及び／又はこれらの情報を含む識別子情報を前記ＩＣカード内のメモリに書き込むことを特徴とするＩＣカード発行装置。
【請求項１０】
前記属性情報は、前記ＩＣカードの製造者情報、ロット番号、カード種、型番、バージョン情報のうち何れかの情報を含むことを特徴とする請求項９に記載のＩＣカード発行装置。
【請求項１１】
リーダライタと複数のＩＣカードの何れかとの間で無線による通信を確立する通信確立方法において、
前記リーダライタは、リクエスト信号送信手段及び通信確立コマンド送信手段を有し、
前記ＩＣカードは、リクエスト応答信号生成手段、リクエスト応答信号返送手段及び接続確認信号返送手段を有し、 
前記リーダライタのリクエスト信号送信手段により、前記ＩＣカードへリクエスト信号を送信するステップと、 
前記リクエスト信号を受信したＩＣカードのリクエスト応答信号生成手段により、当該ＩＣカードのメモリに記憶されている個別情報及び属性情報を読み出し、前記読み出された個別情報及び属性情報を通信の衝突防止のための識別子として含むリクエスト応答信号を生成するステップと、
前記リクエスト信号を受信したＩＣカードのリクエスト応答信号返送手段により、前記生成されたリクエスト応答信号を前記リーダライタへ返送するステップと、
前記リーダライタの通信確立コマンド送信手段により、前記返送されたリクエスト応答信号を参照して通信相手とするＩＣカードを選択し、当該選択されたＩＣカードの前記識別子を含む通信確立コマンドを前記ＩＣカードへ送信するステップと、
前記通信確立コマンドを受信したＩＣカードの接続確認信号返送手段により、当該受信した通信確立コマンドに含まれる識別子と前記リーダライタに返送したリクエスト応答信号に含まれる識別子とを比較し、一致した場合に接続確認信号を前記リーダライタに返送するステップと、
を含むことを特徴とする通信確立方法。
【請求項１２】
前記ＩＣカードのメモリは、当該ＩＣカードを識別するための個別情報及び当該ＩＣカードの属性を示す複数の情報からなる属性情報を記憶し、前記リクエスト応答信号生成手段は、前記メモリに記憶された前記ＩＣカードの個別情報及び前記ＩＣカードの属性情報のうち１つ又は複数個の情報の組み合わせを前記通信の衝突防止のための識別子として利用することを特徴とする請求項１１に記載の通信確立方法。
【請求項１３】
前記リクエスト応答信号生成手段は、前記識別子として、前記ＩＣカードの個別情報及び属性情報と乱数とを組み合わせた値を利用することを特徴とする請求項１１又は１２に記載の通信確立方法。
【請求項１４】
前記識別子として利用されるＩＣカードの個別情報及び属性情報は、個々に或いはまとめて暗号化されていることを特徴とする請求項１１又は１２に記載の通信確立方法。
【請求項１５】
前記属性情報は、前記ＩＣカードの製造者情報、ロット番号、カード種、型番、バージョン情報のうち何れかの情報を含むことを特徴とする請求項１１〜１４の何れか一項に記載の通信確立方法。
【請求項１６】
リーダライタと複数のＩＣカードの何れかとの間で無線による通信を確立しデータの授受を行うデータ通信システムにおいて、
前記リーダライタは、リクエスト信号送信手段及び通信確立コマンド送信手段を有し、
前記ＩＣカードは、リクエスト応答信号生成手段、リクエスト応答信号返送手段及び接続確認信号返送手段を有し、 
前記リーダライタのリクエスト信号送信手段は、前記ＩＣカードへリクエスト信号を送信し、 
前記リクエスト信号を受信したＩＣカードのリクエスト応答信号生成手段は、当該ＩＣカードのメモリに記憶されている個別情報及び属性情報を読み出し、前記読み出された個別情報及び属性情報を通信の衝突防止のための識別子として含むリクエスト応答信号を生成し、
前記リクエスト信号を受信したＩＣカードのリクエスト応答信号返送手段は、前記生成されたリクエスト応答信号を前記リーダライタへ返送し、
前記リーダライタの通信確立コマンド送信手段は、前記返送されたリクエスト応答信号を参照して通信相手とするＩＣカードを選択し、当該選択されたＩＣカードの前記識別子を含む通信確立コマンドを前記ＩＣカードへ送信し、
前記通信確立コマンドを受信したＩＣカードの接続確認信号返送手段は、当該受信した通信確立コマンドに含まれる識別子と前記リーダライタに返送したリクエスト応答信号に含まれる識別子とを比較し、一致した場合に接続確認信号を前記リーダライタに返送する、
ことを特徴とするデータ通信システム。
【請求項１７】
前記ＩＣカードのメモリは、当該ＩＣカードを識別するための個別情報及び当該ＩＣカードの属性を示す複数の情報からなる属性情報を記憶し、前記リクエスト応答信号生成手段は、前記メモリに記憶された前記ＩＣカードの個別情報及び前記ＩＣカードの属性情報のうち１つ又は複数個の情報の組み合わせを前記通信の衝突防止のための識別子として利用することを特徴とする請求項１６に記載のデータ通信システム。
【請求項１８】
前記リクエスト応答信号生成手段は、前記識別子として、前記ＩＣカードの個別情報及び属性情報と乱数とを組み合わせた値を利用することを特徴とする請求項１６又は１７に記載のデータ通信システム。
【請求項１９】
前記識別子として利用されるＩＣカードの個別情報及び属性情報は、個々に或いはまとめて暗号化されていることを特徴とする請求項１６又は１７に記載のデータ通信システム。
【請求項２０】
前記属性情報は、前記ＩＣカードの製造者情報、ロット番号、カード種、型番、バージョン情報のうち何れかの情報を含むことを特徴とする請求項１６〜１９の何れか一項に記載のデータ通信システム。
【手続補正２】
【補正対象書類名】明細書
【補正対象項目名】発明の名称
【補正方法】変更
【補正の内容】
【発明の名称】ＩＣカード、ＩＣカード発行装置、通信確立方法、データ通信システム
【手続補正３】
【補正対象書類名】明細書
【補正対象項目名】０００１
【補正方法】変更
【補正の内容】
【０００１】
本発明は、非接触型のＩＣカード、ＩＣカード発行装置、リーダライタとＩＣカードの通信確立方法、データ通信システムに関する。
【手続補正４】
【補正対象書類名】明細書
【補正対象項目名】０００７
【補正方法】変更
【補正の内容】
【０００７】
上記課題を解決するため、請求項１に記載の発明は、データを記憶するメモリと、無線により外部とのデータ送受信を行う送受信手段と、前記送受信手段を介して外部から通信要求を受信した際に、この通信要求に対して、通信の衝突防止のための識別子を含む応答を送信する制御手段を備えたＩＣカードにおいて、前記メモリは、当該ＩＣカードを識別するための個別情報及び当該ＩＣカードの属性を示す属性情報を記憶し、前記制御手段は、前記メモリに記憶された前記ＩＣカードの個別情報及び属性情報を前記通信の衝突防止のための識別子として利用することを特徴としている。
請求項２に記載の発明は、請求項１に記載の発明において、前記メモリは、当該ＩＣカードを識別するための個別情報及び当該ＩＣカードの属性を示す複数の情報からなる属性情報を記憶し、前記制御手段は、前記メモリに記憶された前記ＩＣカードの個別情報及び前記ＩＣカードの属性情報のうち１つ又は複数個の情報の組み合わせを前記通信の衝突防止のための識別子として利用することを特徴としている。
請求項３に記載の発明は、請求項１又は２に記載の発明において、前記制御手段は、前記識別子として、前記ＩＣカードの個別情報及び属性情報と乱数とを組み合わせた値を利用することを特徴としている。
請求項４に記載の発明は、請求項１又は２に記載の発明において、前記識別子として利用される、ＩＣカードの個別情報及び属性情報は、個々にあるいはまとめて暗号化されていることを特徴としている。
【手続補正５】
【補正対象書類名】明細書
【補正対象項目名】０００８
【補正方法】変更
【補正の内容】
【０００８】
請求項５に記載の発明は、データを記憶するメモリと、無線により外部とのデータ送受信を行う送受信手段と、前記送受信手段を介して外部から通信要求を受信した際に、この通信要求に対して、通信の衝突防止のための識別子を含む応答を送信する制御手段を備えたＩＣカードにおいて、前記メモリは、当該ＩＣカードを識別するための個別情報及び当該ＩＣカードの属性を示す複数の情報からなる属性情報のうち１つ又は複数個の情報の組み合わせを識別子情報として記憶し、前記制御手段は、前記メモリに記憶された識別子情報を前記通信の衝突防止のための識別子として利用することを特徴としている。
請求項６に記載の発明は、請求項５に記載の発明において、前記制御手段は、前記識別子として、前記識別子情報と乱数とを組み合わせた値を利用することを特徴としている。
請求項７に記載の発明は、請求項５に記載の発明において、前記識別子として利用される識別子情報は、暗号化されていることを特徴としている。
請求項８に記載の発明は、請求項１〜７の何れか一項に記載の発明において、前記属性情報は、前記ＩＣカードの製造者情報、ロット番号、カード種、型番、バージョン情報のうち何れかの情報を含むことを特徴としている。
【手続補正６】
【補正対象書類名】明細書
【補正対象項目名】０００９
【補正方法】変更
【補正の内容】
【０００９】
請求項９に記載の発明は、無線によりＩＣカードに情報を送信することにより、前記ＩＣカードに情報を書き込む書き込み手段を備え、前記書き込み手段により情報を書き込むことにより利用可能なＩＣカードを発行するＩＣカード発行装置において、前記書き込み手段は、前記ＩＣカードを識別するための個別情報及び当該ＩＣカードの属性を示す属性情報、及び／又はこれらの情報を含む識別子情報を前記ＩＣカード内のメモリに書き込むことを特徴としている。
請求項１０に記載の発明は、請求項９に記載の発明において、前記属性情報は、前記ＩＣカードの製造者情報、ロット番号、カード種、型番、バージョン情報のうち何れかの情報を含むことを特徴としている。
【手続補正７】
【補正対象書類名】明細書
【補正対象項目名】００１０
【補正方法】変更
【補正の内容】
【００１０】
請求項１１に記載の発明は、リーダライタと複数のＩＣカードの何れかとの間で無線による通信を確立する通信確立方法において、前記リーダライタは、リクエスト信号送信手段及び通信確立コマンド送信手段を有し、 前記ＩＣカードは、リクエスト応答信号生成手段、リクエスト応答信号返送手段及び接続確認信号返送手段を有し、 前記リーダライタのリクエスト信号送信手段により、前記ＩＣカードへリクエスト信号を送信するステップと、前記リクエスト信号を受信したＩＣカードのリクエスト応答信号生成手段により、当該ＩＣカードのメモリに記憶されている個別情報及び属性情報を読み出し、前記読み出された個別情報及び属性情報を通信の衝突防止のための識別子として含むリクエスト応答信号を生成するステップと、前記リクエスト信号を受信したＩＣカードのリクエスト応答信号返送手段により、前記生成されたリクエスト応答信号を前記リーダライタへ返送するステップと、前記リーダライタの通信確立コマンド送信手段により、前記返送されたリクエスト応答信号を参照して通信相手とするＩＣカードを選択し、当該選択されたＩＣカードの前記識別子を含む通信確立コマンドを前記ＩＣカードへ送信するステップと、前記通信確立コマンドを受信したＩＣカードの接続確認信号返送手段により、当該受信した通信確立コマンドに含まれる識別子と前記リーダライタに返送したリクエスト応答信号に含まれる識別子とを比較し、一致した場合に接続確認信号を前記リーダライタに返送するステップと、を含むことを特徴としている。
請求項１２に記載の発明は、請求項１１に記載の発明において、前記ＩＣカードのメモリは、当該ＩＣカードを識別するための個別情報及び当該ＩＣカードの属性を示す複数の情報からなる属性情報を記憶し、前記リクエスト応答信号生成手段は、前記メモリに記憶された前記ＩＣカードの個別情報及び前記ＩＣカードの属性情報のうち１つ又は複数個の情報の組み合わせを前記通信の衝突防止のための識別子として利用することを特徴としている。
請求項１３に記載の発明は、請求項１１又は１２に記載の発明において、前記リクエスト応答信号生成手段は、前記識別子として、前記ＩＣカードの個別情報及び属性情報と乱数とを組み合わせた値を利用することを特徴としている。
請求項１４に記載の発明は、請求項１１又は１２に記載の発明において、前記識別子として利用されるＩＣカードの個別情報及び属性情報は、個々に或いはまとめて暗号化されていることを特徴としている。
請求項１５に記載の発明は、請求項１１〜１４の何れか一項に記載の発明において、前記属性情報は、前記ＩＣカードの製造者情報、ロット番号、カード種、型番、バージョン情報のうち何れかの情報を含むことを特徴としている。
【手続補正８】
【補正対象書類名】明細書
【補正対象項目名】００１１
【補正方法】変更
【補正の内容】
【００１１】
請求項１６に記載の発明は、リーダライタと複数のＩＣカードの何れかとの間で無線による通信を確立しデータの授受を行うデータ通信システムにおいて、前記リーダライタは、リクエスト信号送信手段及び通信確立コマンド送信手段を有し、 前記ＩＣカードは、リクエスト応答信号生成手段、リクエスト応答信号返送手段及び接続確認信号返送手段を有し、 前記リーダライタのリクエスト信号送信手段は、前記ＩＣカードへリクエスト信号を送信し、前記リクエスト信号を受信したＩＣカードのリクエスト応答信号生成手段は、当該ＩＣカードのメモリに記憶されている個別情報及び属性情報を読み出し、前記読み出された個別情報及び属性情報を通信の衝突防止のための識別子として含むリクエスト応答信号を生成し、前記リクエスト信号を受信したＩＣカードのリクエスト応答信号返送手段は、前記生成されたリクエスト応答信号を前記リーダライタへ返送し、前記リーダライタの通信確立コマンド送信手段は、前記返送されたリクエスト応答信号を参照して通信相手とするＩＣカードを選択し、当該選択されたＩＣカードの前記識別子を含む通信確立コマンドを前記ＩＣカードへ送信し、前記通信確立コマンドを受信したＩＣカードの接続確認信号返送手段は、当該受信した通信確立コマンドに含まれる識別子と前記リーダライタに返送したリクエスト応答信号に含まれる識別子とを比較し、一致した場合に接続確認信号を前記リーダライタに返送することを特徴としている。
請求項１７に記載の発明は、請求項１６に記載の発明において、前記ＩＣカードのメモリは、当該ＩＣカードを識別するための個別情報及び当該ＩＣカードの属性を示す複数の情報からなる属性情報を記憶し、前記リクエスト応答信号生成手段は、前記メモリに記憶された前記ＩＣカードの個別情報及び前記ＩＣカードの属性情報のうち１つ又は複数個の情報の組み合わせを前記通信の衝突防止のための識別子として利用することを特徴としている。
請求項１８に記載の発明は、請求項１６又は１７に記載の発明において、前記リクエスト応答信号生成手段は、前記識別子として、前記ＩＣカードの個別情報及び属性情報と乱数とを組み合わせた値を利用することを特徴としている。
請求項１９に記載の発明は、請求項１６又は１７に記載の発明において、前記識別子として利用されるＩＣカードの個別情報及び属性情報は、個々に或いはまとめて暗号化されていることを特徴としている。
請求項２０に記載の発明は、請求項１６〜１９の何れか一項に記載の発明において、前記属性情報は、前記ＩＣカードの製造者情報、ロット番号、カード種、型番、バージョン情報のうち何れかの情報を含むことを特徴としている。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
請求項１に記載の発明によれば、ＩＣカードのメモリに、当該ＩＣカードを識別するための個別情報及び当該ＩＣカードの属性を示す属性情報を記憶し、外部からの通信要求に対する応答に含まれる通信の衝突防止のための識別子として、メモリに記憶されたＩＣカードの個別情報及び属性情報を利用する。従って、ＩＣカード間で識別子が重複することがなくなり、外部の装置がＩＣカードを識別することができるようになる。また、外部の装置において、通信要求に対する応答信号からＩＣカードの属性等の情報を確認することができるので、従来のように、通信確立後に改めてＩＣカードの情報を得るために問い合わせを行う必要がなくなり、通信を簡略化、高速化することができる。
請求項２に記載の発明によれば、ＩＣカードのメモリに、当該ＩＣカードを識別するための個別情報及び当該ＩＣカードの属性を示す複数の情報からなる属性情報を記憶し、外部からの通信要求に対する応答に含まれる通信の衝突防止のための識別子として、メモリに記憶されたＩＣカードの個別情報及びＩＣカードの属性情報のうち１つ又は複数個の情報の組み合わせを利用する。従って、ＩＣカード間で識別子が重複することがなくなり、外部の装置がＩＣカードを識別することができるようになる。また、外部の装置において、通信要求に対する応答信号からＩＣカードの属性等の情報を確認することができるので、従来のように、通信確立後に改めてＩＣカードの情報を得るために問い合わせを行う必要がなくなり、通信を簡略化、高速化することができる。
請求項３に記載の発明によれば、衝突防止のための識別子として、ＩＣカードの個別情報及び属性情報と乱数とを組み合わせた値を利用するので、通信毎に異なる識別子にすることができる。
請求項４に記載の発明によれば、ＩＣカードの個別情報及び属性情報は、個々にあるいはまとめて暗号化されているので、ＩＣカードの情報の漏洩等を防止することができ、セキュリティを確保することができる。
【手続補正１５】
【補正対象書類名】明細書
【補正対象項目名】００１８
【補正方法】変更
【補正の内容】
【００１８】
請求項５に記載の発明によれば、ＩＣカードのメモリに、当該ＩＣカードを識別するための個別情報及び当該ＩＣカードの属性を示す複数の情報からなる属性情報のうち１つ又は複数の情報の組み合わせを識別子情報として記憶し、外部からの通信要求に対する応答に含まれる通信の衝突防止のための識別子として、メモリに記憶された識別子情報を利用する。従って、ＩＣカード間で識別子が重複することがなくなり、外部の装置がＩＣカードを識別することができるようになる。また、外部の装置において、通信要求に対する応答信号からＩＣカードの属性等の情報を確認することができるので、従来のように、通信確立後に改めてＩＣカードの情報を得るために問い合わせを行う必要がなくなり、通信を簡略化、高速化することができる。
請求項６に記載の発明によれば、衝突防止のための識別子として、ＩＣカードを識別するための個別情報及び当該ＩＣカードの属性を示す複数の情報からなる属性情報のうち１つ又は複数の情報の組み合わせからなる識別子情報と乱数とを組み合わせた値を利用するので、通信毎に異なる識別子にすることができる。
請求項７に記載の発明によれば、識別子情報は暗号化されているので、ＩＣカードの情報の漏洩等を防止することができ、セキュリティを確保することができる。
請求項８に記載の発明によれば、属性情報は、ＩＣカードの製造者情報、ロット番号、カード種、型番、バージョン情報のうち何れかの情報を含んでいるので、通信要求の応答の際に、外部の装置にＩＣカードの製造者情報、ロット番号、カード種、型番、バージョン情報のうち何れかの情報を通知することができる。
請求項９に記載の発明によれば、ＩＣカードを発行するＩＣカード発行装置において、ＩＣカードを識別するための個別情報及び当該ＩＣカードの属性を示す属性情報、及び／又はこれらの情報を含む識別子情報をＩＣカード内のメモリに書き込む。従って、このＩＣカード発行装置によりＩＣカードに当該カードの個別情報及び属性情報、及び／又はこれらの情報を含む識別子情報を記録することができる。ＩＣカードにおいては、外部からの通信要求に対してメモリから個別情報及び属性情報、或いは識別子情報を読み出して、衝突防止のための識別子を含む応答を容易に送信することができる。
請求項１０に記載の発明によれば、ＩＣカードの製造者情報、ロット番号、カード種、型番、バージョン情報等を示す情報をＩＣカードのメモリに記録することができる。
【手続補正１６】
【補正対象書類名】明細書
【補正対象項目名】００１９
【補正方法】変更
【補正の内容】
【００１９】
請求項１１、１２、１６、１７に記載の発明によれば、ＩＣカードからリーダライタへ送信するリクエスト応答信号に、当該ＩＣカードの個別情報及び属性情報が衝突防止のための識別子として含まれるので、ＩＣカード間で識別子が重複することがなくなり、リーダライタがＩＣカードを確実に識別できるようになる。また、リクエスト応答信号に含まれる識別子により、リーダライタがＩＣカードの属性等の情報を確認することができるので、従来のように、リーダライタで通信相手のＩＣカードの情報を確認する必要がある場合、通信確立後に改めてＩＣカードに問い合わせを行う必要がなくなり、リーダライタとＩＣカードとの通信を簡略化、高速化することができる。
請求項１３、１８に記載の発明によれば、通信の衝突防止のための識別子としてＩＣカードの個別情報及び属性情報と乱数との組み合わせを用いるので、通信毎に異なる識別子にすることができる。
請求項１４、１９に記載の発明によれば、ＩＣカードの個別情報及び属性情報は、個々にあるいはまとめて暗号化されているので、ＩＣカードの情報の漏洩等を防止することができ、セキュリティを確保することができる。
請求項１５、２０に記載の発明によれば、属性情報は、ＩＣカードの製造者情報、ロット番号、カード種、型番、バージョン情報のうち何れかの情報を含んでいるので、リクエスト応答信号を送信することにより、リーダライタにＩＣカードの製造者情報、ロット番号、カード種、型番、バージョン情報のうち何れかの情報を通知することができる。
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００５１
【補正方法】変更
【補正の内容】
【００５１】
ＩＣカード１においては、アンテナ１１を介して発行用データが受信されると、制御回路１４により、メモリ１５の所定領域に発行用データが書き込まれる。なお、ＩＣカード１において、リクエスト応答に含まれるＰＵＰＩとして、上述したＩＣカード発行処理でメモリ１５に書き込まれたＩＣカード１の個別情報及び属性情報（又はこれらをひとまとまりのデータとした識別子情報）を利用するためのプログラムは、ＩＣカードの発行時に発行用データのアプリケーションデータとしてＩＣカード１に書き込むこととしてもよいし、ＩＣカード１の製造時に予め書き込まれていることとしてもよい。